(57)【特許請求の範囲】
【請求項１】
構成可能基地局を展開またはアクティブ化する方法であって、
第１の隣接基地局から信号を受信することと、ここにおいて、前記信号が、循環フレーム構造のサブフレーム内の１次同期信号（ＰＳＳ）と２次同期信号（ＳＳＳ）とを備える、
前記ＰＳＳおよびＳＳＳから前記第１の隣接基地局によってブロードキャスト制御チャネル情報の送信を制御するために使用される異なるフレーム開始時間に対応する第１のフレームタイミングを決定することと、
前記決定された第１のフレームタイミングに基づいて、前記構成可能基地局によって使用されるべき、第２のフレームタイミングを選択することと、前記第２のフレームタイミングが前記第１のフレームタイミングとは異なり、いかなる隣接基地局によっても使用されず、前記構成可能基地局は、前記選択された第２のフレームタイミングに従ってＰＳＳ信号とＳＳＳ信号とを送信し、前記第２のフレームタイミングについて、サブフレーム持続時間の非負整数倍であるフレームタイミングオフセットＮを決定することによって、それにより、前記構成可能基地局と前記第１の隣接基地局との間でサブフレームの整合を維持する、
を備える、方法。
【請求項２】
前記信号がシステム情報ブロック（ＳＩＢ）情報信号を含み、
リソース利用情報を決定することが、アップリンクＰＲＡＣＨ通信リソースの第１のセット中のアップリンクＰＲＡＣＨ通信リソースのトーン、サブフレームおよび周期性のうちの少なくとも１つを決定することを含む、請求項１に記載の方法。
【請求項３】
前記決定されたリソース利用情報に基づいて、少なくとも、前記構成可能基地局によって使用されるべき、第２のフレームタイミングを選択することが、
サブフレーム持続時間の非負整数倍であるフレームタイミングオフセットＮを決定することを含む、請求項１に記載の方法。
【請求項４】
Ｎが０〜４の範囲内にあり、
ＰＳＳがフレームの第６のサブフレーム中で送信される、請求項３に記載の方法。
【請求項５】
前記構成可能基地局に隣接する隣接基地局の数であって、前記第１の隣接基地局を含む前記数が、Ｘよりも小さく、ここで、Ｘが、ＰＳＳ信号を送信するために使用されるあるサブフレームから、ＰＳＳ信号を送信するために使用される次のサブフレームまでのサブフレームの数の差であるとき、フレームタイミングオフセットを決定することが、
前記隣接基地局のいずれかによって使用されるフレーム境界時間とは異なるフレーム境界時間を生成する第１のフレームタイミングオフセットを選択することを含む、請求項３に記載の方法。
【請求項６】
隣接基地局の前記数がＸに等しいかまたはそれよりも大きいとき、フレームタイミングオフセットを決定することは、
最も弱い信号がそこから受信された基地局の前記フレームタイミングを選択することを含む、請求項５に記載の方法。
【請求項７】
前記受信された信号から、隣接基地局によって使用されている基地局識別子を決定することと、
前記隣接基地局によって使用中であると決定された基地局識別子とは異なる基地局識別子を選択することとをさらに備える、請求項１に記載の方法。
【請求項８】
構成可能基地局であって、
第１の隣接基地局から信号を受信するための手段と、ここにおいて、前記信号が、循環フレーム構造のサブフレーム内の１次同期信号（ＰＳＳ）と２次同期信号（ＳＳＳ）とを備える、
前記ＰＳＳおよびＳＳＳから前記第１の隣接基地局によってブロードキャスト制御チャネル情報の送信を制御するために使用される異なるフレーム開始時間に対応する第１のフレームタイミングを決定するための手段と、
前記決定された第１のフレームタイミングに基づいて、前記構成可能基地局によって使用されるべき、第２のフレームタイミングを選択するための手段と、前記第２のフレームタイミングが前記第１のフレームタイミングとは異なり、いかなる隣接基地局によっても使用されず、前記構成可能基地局は、前記選択された第２のフレームタイミングに従ってＰＳＳ信号とＳＳＳ信号とを送信し、前記第２のフレームタイミングについて、サブフレーム持続時間の非負整数倍であるフレームタイミングオフセットＮを決定することによって、それにより、前記構成可能基地局と前記第１の隣接基地局との間でサブフレームの整合を維持する、
を備える、構成可能基地局。
【請求項９】
前記信号がシステム情報ブロック（ＳＩＢ）情報信号を含み、
リソース利用情報を決定するための前記手段が、アップリンクＰＲＡＣＨ通信リソースの第１のセット中のアップリンクＰＲＡＣＨ通信リソースのトーン、サブフレームおよび周期性のうちの少なくとも１つを決定するための手段を含む、請求項８に記載の構成可能基地局。
【請求項１０】
前記決定されたリソース利用情報に基づいて、少なくとも、前記構成可能基地局によって使用されるべき、第２のフレームタイミングを選択するための前記手段が、
サブフレーム持続時間の非負整数倍であるフレームタイミングオフセットＮを決定するための手段を含む、請求項８に記載の構成可能基地局。
【請求項１１】
フレームタイミングオフセットを決定するための前記手段は、
前記構成可能基地局に隣接する隣接基地局の数であって、前記第１の隣接基地局を含む前記数が、Ｘよりも小さく、ここで、Ｘが、ＰＳＳ信号を送信するために使用されるあるサブフレームから、ＰＳＳ信号を送信するために使用される次のサブフレームまでのサブフレームの数の差であるとき、前記隣接基地局のいずれかによって使用されるフレーム境界時間とは異なるフレーム境界時間を生成する第１のフレームタイミングオフセットを選択するための手段を含む、請求項１０に記載の構成可能基地局。
【請求項１２】
フレームタイミングオフセットを決定するための前記手段は、
隣接基地局の前記数がＸに等しいかまたはそれよりも大きいとき、最も弱い信号がそこから受信された基地局の前記フレームタイミングを選択するための手段を含む、請求項１１に記載の構成可能基地局。
【請求項１３】
構成可能基地局において使用するためのコンピュータプログラムであって、前記コンピュータプログラムが、
少なくとも１つのコンピュータに、第１の隣接基地局から信号を受信させるためのコードと、ここにおいて、前記信号が、循環フレーム構造のサブフレーム内の１次同期信号（ＰＳＳ）と２次同期信号（ＳＳＳ）とを備える、
前記少なくとも１つのコンピュータに、前記ＰＳＳおよびＳＳＳから前記第１の隣接基地局によってブロードキャスト制御チャネル情報の送信を制御するために使用される異なるフレーム開始時間に対応する第１のフレームタイミングを決定させるためのコードと、
前記少なくとも１つのコンピュータに、前記決定された第１のフレームタイミングに基づいて、前記構成可能基地局によって使用されるべき、第２のフレームタイミングを選択させるためのコードと、前記第２のフレームタイミングが前記第１のフレームタイミングとは異なり、いかなる隣接基地局によっても使用されず、前記構成可能基地局は、前記選択された第２のフレームタイミングに従ってＰＳＳ信号とＳＳＳ信号とを送信し、前記第２のフレームタイミングについて、サブフレーム持続時間の非負整数倍であるフレームタイミングオフセットＮを決定することによって、それにより、前記構成可能基地局と前記隣接基地局との間でサブフレームの整合を維持する、
を備えるコンピュータプログラム。
【発明の詳細な説明】
【技術分野】
【０００１】
相互参照
[0001]本特許出願は、本出願の譲受人に譲渡され、２０１３年３月５日に出願された「Methods and Apparatus to Control Interference」と題する、Ｋｈｕｄｅらによる米国特許出願第１３／７８４，８２９号の優先権を主張する。
【０００２】
[0002]様々な実施形態は、ワイヤレス通信システムにおいて干渉を制御することに関し、より詳細には、構成可能（configurable）隣接基地局、たとえば、構成可能隣接ＬＴＥフェムトセル基地局を含むワイヤレス通信システムにおいてある特定の制御情報への干渉を制御することに関する。
【背景技術】
【０００３】
[0003]ＬＴＥベースセルラーシステムでは、たとえば、１次同期信号／２次同期信号（ＰＳＳ／ＳＳＳ）とブロードキャストチャネル（ＢＣＨ）信号とを含む様々な同期信号が、フレーム中で周波数および時間において固定位置で送信される。これらの信号は、ユーザ機器（ＵＥ）デバイスが、ｅノードＢ（ｅＮＢ）からの情報を復号することを開始するために重要である。ＰＳＳ／ＳＳＳおよびＢＣＨ信号は、ＵＥデバイスが収集しようとする最初のいくつかのシステム情報であるので、フレームの構造に対するそれらのロケーションは変更され得ない。
【０００４】
[0004]単一の周波数帯域におけるＬＴＥスモールセル、たとえば、フェムトセルの密集した無計画な展開について考える。スモールセルがフレームレベルにおいて同期的である場合、スモールセルの同期信号（ＰＳＳ／ＳＳＳ）とＢＣＨチャネル信号とは互いに衝突し得る。これは、スモールセルを検出することを試みているＵＥデバイスへの干渉を増加させる傾向がある。１つの容易な解決策は、スモールセルが非同期的であることであり得る。これはＢＣＨとＰＳＳ／ＳＳＳとの衝突の問題を解決する。ただし、この手法は、デバイスが非同期的に働くので、セル間干渉協調方法、たとえば、拡張セル間干渉協調（ｅＩＣＩＣ：enhanced inter-cell interference coordination）方式を無効にする。
【０００５】
[0005]上記の説明に基づいて、スモールセル、たとえば、フェムトセルが単一の共通周波数帯域を使用して動作させられるべきときに、干渉を制御するための新しい方法および装置が必要である。少なくともいくつかの新しい方法および装置が、セル間干渉協調（ＩＣＩＣ）方式および／または他の干渉管理が依然として有効であり得るように、あるレベルの共通同期のためにこれから与えられる隣接基地局によって送信されているいくつかの重要な制御信号を検出することに関する干渉を減少させるならば有益であろう。
【発明の概要】
【０００６】
[0006]重要な制御信号、たとえば、同期信号および／またはブロードキャストチャネル信号に関する干渉を制御するための方法および装置について説明する。いくつかの実施形態では、当該の重要な制御信号は、使用されているタイミング構造中の所定の位置で送信され、たとえば、当該の重要な制御信号は、使用されているタイミング構造中のフレームの所定の１つのまたは所定の数個のサブフレーム中で送信される。様々な説明する方法および装置は、複数の構成可能スモールセル基地局、たとえば、構成可能ＬＴＥフェムトセル基地局が、たとえば、必要に応じて、共通周波数帯域を使用して、領域中に動的に展開される環境に好適である。様々な実施形態では、構成可能基地局は、それの局所近傍にある他の基地局からの信号を監視し、受信し、他の展開された基地局に対応する実装されたフレームタイミングを決定する。可能な場合、構成可能基地局は、他の基地局によって使用されているフレームタイミングからオフセットされたフレームタイミングを使用することを選択する。いくつかの実施形態では、シンボルレベルおよびサブフレームレベル同期が基地局間で維持される。ただし、少なくともいくつかのそのような実施形態では、フレームレベル同期が変化し得、時々変化する。異なる隣接基地局は、サブフレームの倍数によってそれらのフレーム境界を意図的にオフセットし得、時々オフセットする。
【０００７】
[0007]いくつかの実施形態による、構成可能基地局を動作させる方法は、第１の隣接基地局から信号を受信することと、前記受信された信号からのリソース利用情報を決定することと、前記決定されたリソース利用情報が、前記第１の隣接基地局によってブロードキャスト制御チャネル情報の送信を制御するために使用される第１のフレームタイミングと、前記第１の隣接基地局によって使用されるアップリンク物理ランダムアクセスチャネル（ＰＲＡＣＨ：uplink physical random access channel）通信リソースの第１のセットとのうちの少なくとも１つを含む、を含む。例示的な方法は、前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択すること、前記第２のフレームタイミングが前記第１のフレームタイミングとは異なり、アップリンクＰＲＡＣＨ通信リソースの前記第２のセットがアップリンクＰＲＡＣＨ通信リソースの前記第１のセットとは異なる、をさらに含む。
【０００８】
[0008]いくつかの実施形態による、例示的な構成可能基地局は、第１の隣接基地局から信号を受信することと、前記受信された信号からのリソース利用情報を決定することと、前記決定されたリソース利用情報が、前記第１の隣接基地局によってブロードキャスト制御チャネル情報の送信を制御するために使用される第１のフレームタイミングと、前記第１の隣接基地局によって使用されるアップリンクＰＲＡＣＨ通信リソースの第１のセットとのうちの少なくとも１つを含む、を行うように構成された少なくも１つのプロセッサを含む。いくつかのそのような実施形態では、少なくとも１つのプロセッサは、前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択すること、前記第２のフレームタイミングが前記第１のフレームタイミングとは異なり、アップリンクＰＲＡＣＨ通信リソースの前記第２のセットがアップリンクＰＲＡＣＨ通信リソースの前記第１のセットとは異なる、を行うようにさらに構成される。例示的な構成可能基地局は、前記少なくとも１つのプロセッサに結合されたメモリをさらに含む。
【０００９】
[0009]上記の概要で様々な実施形態について論じたが、必ずしもすべての実施形態が同じ特徴を含むとは限らず、上記で説明した特徴のいくつかは、いくつかの実施形態では、必要ではないが、望ましいことがあることを諒解されたい。多数の追加の特徴、実施形態、および様々な実施形態の利益について、以下の発明を実施するための形態において論じる。
【図面の簡単な説明】
【００１０】
【図１】[0010]例示的な実施形態による、循環フレーム構造の第１のサブフレーム内の１次同期信号チャネルと２次同期信号チャネルとブロードキャストチャネルとのロケーションを示す図。
【図２】[0011]例示的な実施形態による、循環フレーム構造の第６のサブフレーム内の１次同期信号チャネルと２次同期信号チャネルとのロケーションを示す図。
【図３】[0012]例示的な実施形態による通信システムを示す図。
【図４】図４Ａと図４Ｂと図４Ｃとの組合せを示す図。
【図４Ａ】[0013]様々な例示的な実施形態による、構成可能基地局を動作させる例示的な方法のフローチャートの第１の部分の図。
【図４Ｂ】[0014]様々な例示的な実施形態による、構成可能基地局を動作させる例示的な方法のフローチャートの第２の部分の図。
【図４Ｃ】[0015]様々な例示的な実施形態による、構成可能基地局を動作させる例示的な方法のフローチャートの第３の部分の図。
【図５】[0016]様々な例示的な実施形態による、例示的な構成可能基地局の図。
【図６】図５に示した例示的な構成可能基地局中で使用され得、いくつかの実施形態では、使用されるモジュールのアセンブリを示す図である。
【図６Ａ】[0017]図５に示された例示的な構成可能基地局中で使用され得、いくつかの実施形態では、使用されるモジュールのアセンブリの図の第１の部分の図。
【図６Ｂ】[0018]図５に示された例示的な構成可能基地局中で使用され得、いくつかの実施形態では、使用されるモジュールのアセンブリの図の第２の部分の図。
【図６Ｃ】[0019]図５に示された例示的な構成可能基地局中で使用され得、いくつかの実施形態では、使用されるモジュールのアセンブリの図の第１の部分の図。
【図７】[0020]例示的な実施形態による、構成可能基地局を動作させる一例の第１の部分を示す図。
【図８】[0021]例示的な実施形態による、構成可能基地局を動作させる一例の第２の部分を示す図。
【図９】[0022]例示的な実施形態による、構成可能基地局を動作させる別の例の第１の部分を示す図。
【図１０】[0023]例示的な実施形態による、構成可能基地局を動作させる別の例の第２の部分を示す図。
【図１１】[0024]例示的な実施形態による、互いの近傍にある４つの例示的なスモールセル構成可能基地局がそれらのフレーム境界をオフセットする一例を示す図。
【発明を実施するための形態】
【００１１】
[0025]図１に、例示的な実施形態による、循環フレーム構造の第１のサブフレーム内の１次同期信号チャネルと２次同期信号チャネルとブロードキャストチャネルとのロケーションを示す。図１の図面１００は、例示的なフレーム１００と、サブフレーム０に対応する例示的なエアリンクリソース１５０とを示す。例示的なフレーム１００は、１０サブフレーム（サブフレーム０  １０２、サブフレーム１  １０４、サブフレーム２  １０６、サブフレーム３  １０８、サブフレーム４  １１０、サブフレーム５  １１２、サブフレーム６  １１４、サブフレーム７  １１６、サブフレーム８  １１８、サブフレーム９  １２０）を含む。フレーム１０１は、線１２０によって示される持続時間１０ミリ秒を有し、ハーフフレームは、線１２２によって示される５ミリ秒の持続時間を有し、サブフレームは、線１２４によって示される１ミリ秒の持続時間を有する。例示的なエアリンクリソース１５０は、線１５２によって示される６〜１００個のリソースブロックの周波数範囲と、線１５４によって示される１ミリ秒の持続時間とに対応する。エアリンクリソース１５０は、時間に基づいて、リソース、たとえばＯＦＤＭシンボル（１５６、１５８、１６０、１６２、１６４、１６６、１６８、１７０、１７２、１７４、１７６、１７８、１８０、１８２）に区分される。２次同期信号を搬送するために使用される２次同期チャネル（Ｓ−ＳＣＨ）１８６はリソース１６６内に位置し、１次同期信号を搬送するために使用される１次同期チャネル（Ｐ−ＳＣＨ）１８８はリソース１６８内に位置し、ブロードキャストチャネル信号を搬送するために使用される物理ブロードキャストチャネル（ＰＢＣＨ）１９０はリソース１７０、１７２、１７４および１７６の部分内に位置する。Ｓ−ＳＣＨ１８６と、Ｐ−ＳＣＨ１８８と、ＰＢＣＨ１９０とは、線１８４によって示される６つのリソースブロック（ＲＢ）幅の周波数領域内に位置する。６つのＲＢ＝７２個のサブキャリア＝６×１８０ＫＨｚ＝１．０８ＭＨｚ。
【００１２】
[0026]図２に、例示的な実施形態による、循環フレーム構造の第６のサブフレーム内の１次同期信号チャネルと２次同期信号チャネルとのロケーションを示す。図２の図面２００は、例示的なフレーム１０１と、サブフレーム５に対応する例示的なエアリンクリソース２５０とを示す。例示的なエアリンクリソース２５０は、線１５２によって示される６〜１００個のリソースブロックの周波数範囲と、線１５４によって示される１ミリ秒の持続時間とに対応する。エアリンクリソース２５０は、時間に基づいて、リソース（２５６、２５８、２６０、２６２、２６４、２６６、２６８、２７０、２７２、２７４、２７６、２７８、２８０、２８２）に区分される。２次同期信号を搬送するために使用される２次同期チャネル（Ｓ−ＳＣＨ）２８６はリソース２６６内に位置し、１次同期信号を搬送するために使用される１次同期チャネル（Ｐ−ＳＣＨ）２８８はリソース２６８内に位置する。Ｓ−ＳＣＨ２８６と、Ｐ−ＳＣＨ２８８とは、線１８４によって示される６つのリソースブロック（ＲＢ）幅の周波数領域内に位置する。
【００１３】
[0027]図３は、例示的な実施形態による、例示的な通信システム３００の図である。例示的な通信システム３００は、対応するマクロセル１カバレージエリア３０４をもつマクロ基地局１  ３０２、たとえば、ＬＴＥ  ｅノードＢを含む。マクロ基地局１  ３０２は、リンク３０３を介してインターネットにおよび／または他のネットワークノードに結合される。マクロセル１  ３０４内には、対応するフェムトセルをもつ複数の構成可能フェムト基地局がある。異なる時間に、マクロセル１  ３０４内で動作している様々な数の構成可能フェムト基地局があり得、時々あり、たとえば、展開され得る利用可能な構成可能フェムト基地局の数は、所与の時間におけるマクロセル中のまたはマクロセルの特定のエリア中のユーザ機器デバイスの数、エアリンクリソースローディング、干渉環境などのファクタに依存し得る。様々な実施形態では、構成可能フェムトセル基地局は、現在の環境をサポートするために必要に応じて追加および／または除去される。
【００１４】
[0028]マクロセル１  ３０４の第１の局在化エリア中には、それぞれ、対応するフェムトセル（フェムトセル１  ３０８、フェムトセル２  ３１２、．．．、フェムトセルＭ  ３１６）をもつ複数の構成可能隣接基地局（構成可能フェムト基地局１  ３０６、構成可能フェムト基地局２  ３１０、．．．、構成可能フェムト基地局Ｍ  ３１４）がある。
【００１５】
[0029]マクロセル１  ３０４の第２の局在化エリア中には、それぞれ、対応するフェムトセル（フェムトセル１’３２０、フェムトセル２’３２６、．．．、フェムトセルＭ’３２８）をもつ複数の構成可能隣接基地局（構成可能フェムト基地局１’３１８、構成可能フェムト基地局２’３２４、．．．、構成可能フェムト基地局Ｍ’３２６）がある。
【００１６】
[0030]例示的なシステム３００中には、システム３００全体にわたって移動し、マクロ基地局１  ３０２またはそれの局所近傍にある動作フェムト基地局と通信し得る複数のユーザ機器（ＵＥ）デバイス、たとえば、モバイルワイヤレス端末（ＵＥ１  ３５０、ＵＥ２  ３５２、ＵＥ３  ３５６、ＵＥ４  ３５８、ＵＥ５  ３６０、ＵＥ６  ３６６、ＵＥ７  ３６８、ＵＥ８  ３７０、ＵＥ９  ３７２、ＵＥ１０  ３７４、．．．、ＵＥ  Ｎ３７６）もある。
【００１７】
[0031]いくつかの実施形態の特徴によれば、システムに加入している、たとえば、展開しているまたはアクティブ化している構成可能基地局は、それの局所近傍にある他の隣接する構成可能フェムト基地局によって送信されている同期信号、たとえば、ＰＳＳおよびＳＳＳを監視および受信し、受信同期信号に基づいてそれのフレームタイミングを決定する。たとえば、異なるフレーム開始時間に対応して選択され得る、所定の数の代替フレームタイミング、たとえば、５つの代替フレームタイミングがある。代替フレームタイミングはサブフレームベースの同期に対応し、たとえば、異なるインデックス付きサブフレームが整合する。代替フレームタイミングにより、代替フレームタイミングごとに当該の同期信号、たとえば、ＰＳＳ／ＳＳＳが異なる時間に送信されることになる。この手法は、それの近傍にある複数の代替フェムト基地局を検出することを試みているＵＥデバイスの観点から、干渉を低減する。
【００１８】
[0032]可能な場合、たとえば、代替フレームタイミングのいくつかが依然として利用可能である場合、システムに加入している構成可能基地局は、隣接基地局によって現在使用されていない代替フレームタイミングのうちの１つを選択する。代替フレームタイミングの各々が隣接基地局によって現在使用されている場合、システムに加入している構成可能基地局は、最も弱い受信された信号に対応するフレームタイミングを選択する。選択されたフレームタイミングは、構成可能基地局によって、同期信号、たとえば、ＰＳＳ／ＳＳＳおよびブロードキャスト制御チャネル情報を含む情報を送信するために使用される。
【００１９】
[0033]いくつかの実施形態の特徴によれば、システムに加入している、たとえば、展開しているまたはアクティブ化している構成可能基地局は、それの局所近傍にある他の隣接する構成可能フェムト基地局によって送信されているシステム情報ブロック（ＳＩＢ）情報信号を監視および受信し、それの近傍にある他の構成可能フェムト基地局によって現在使用されているアップリンクＰＲＡＣＨ通信リソースとは異なる、使用すべきアップリンクＰＲＡＣＨ通信リソースのセットを決定する。
【００２０】
[0034]図４Ａと図４Ｂと図４Ｃとの組合せを備える図４は、様々な例示的な実施形態による、構成可能基地局を動作させる例示的な方法のフローチャート４００である。例示的な方法の動作はステップ４０２において開始し、ステップ４０２において、構成可能基地局が電源投入され、初期化される。動作はステップ４０２からステップ４０４に進む。
【００２１】
[0035]ステップ４０４において、構成可能基地局は１つまたは複数の隣接基地局の各々から信号を受信する。ステップ４０４はステップ４０６を含み、ステップ４０６において、構成可能基地局は第１の隣接基地局から信号を受信する。ステップ４０６はステップ４１０および４１２のうちの１つまたは両方を含む。ステップ４１０において、構成可能基地局は第１の隣接基地局から１次同期信号（ＰＳＳ）と２次同期信号（ＳＳＳ）とを受信する。ステップ４１２において、構成可能基地局は第１の隣接基地局からシステム情報ブロック（ＳＩＢ）信号を受信する。
【００２２】
[0036]いくつかの実施形態では、動作はステップ４０６からステップ４２２に進む。他の実施形態では、動作はステップ４０６からステップ４２６に進む。ステップ４２２に戻ると、ステップ４２２において、構成可能基地局は、第１の隣接基地局からの受信されたＰＳＳおよびＳＳＳ信号の強度を測定する。動作はステップ４２２からステップ４２６に進む。
【００２３】
[0037]ステップ４２６において、構成可能基地局は、前記受信された信号からのリソース利用情報を決定し、前記決定されたリソース利用情報は、前記第１の隣接基地局によってブロードキャストチャネル情報の送信を制御するために使用される第１のフレームタイミングと、前記第１の隣接基地局によって使用されるアップリンクＰＲＡＣＨ通信リソースの第１のセットとのうちの少なくとも１つを含む。様々な実施形態では、ステップ４２６はステップ４２８および４３０のうちの１つまたは両方を含む。いくつかの実施形態では、第１の隣接基地局からの受信された信号は１次同期信号（ＰＳＳ）と２次同期信号（ＳＳＳ）とを含み、ステップ４２８が実行される。ステップ４２８において、構成可能基地局は前記第１のフレームタイミングを決定する。いくつかの実施形態では、第１の隣接基地局からの受信された信号はシステム情報ブロック（ＳＩＢ）信号を含み、ステップ４３０が実行される。ステップ４３０において、構成可能基地局は、アップリンクＰＲＡＣＨ通信リソースの前記第１のセット中のアップリンクＰＲＡＣＨ通信リソースのトーン、サブフレームおよび周期性のうちの少なくとも１つを決定する。いくつかの実施形態では、アップリンクＰＲＡＣＨ通信リソースの前記第１のセット中のアップリンクＰＲＡＣＨ通信リソースの周期性を決定することは、タイミング構造においてＰＲＡＣＨ間のいくつのサブフレームかを決定することを含む。
【００２４】
[0038]ステップ４０４に戻ると、いくつかの実施形態では、ステップ４０４はステップ４１４を含み、ステップ４１４において、構成可能基地局は別の隣接基地局からさらなる信号を受信する。ステップ４１４はステップ４１８および４２０のうちの１つまたは両方を含む。ステップ４１８において、構成可能基地局は、別の隣接基地局から１次同期信号（ＰＳＳ）と２次同期信号（ＳＳＳ）とを受信する。ステップ４２０において、構成可能基地局は別の隣接基地局からシステム情報ブロック（ＳＩＢ）信号を受信する。
【００２５】
[0039]いくつかの実施形態では、動作はステップ４１４からステップ４２４に進む。他の実施形態では、動作はステップ４１４からステップ４３２に進む。ステップ４２４に戻ると、ステップ４２４において、構成可能基地局は、別の隣接基地局からの受信されたＰＳＳおよびＳＳＳ信号の強度を測定する。動作はステップ４２４からステップ４３２に進む。
【００２６】
[0040]ステップ４３２において、構成可能基地局は、前記受信された追加の信号からのリソース利用情報を決定し、前記決定されたリソース利用情報は、前記別の隣接基地局によってブロードキャストチャネル情報の送信を制御するために使用される別のフレームタイミングと、前記別の隣接基地局によって使用されるアップリンクＰＲＡＣＨ通信リソースの別のセットとのうちの少なくとも１つを含む、様々な実施形態では、ステップ４３２はステップ４３４および４３６のうちの１つまたは両方を含む。ステップ４３４において、構成可能基地局は前記別のフレームタイミングを決定する。ステップ４３６において、構成可能基地局は、アップリンクＰＲＡＣＨ通信リソースの前記別のセット中のアップリンクＰＲＡＣＨ通信リソースのトーン、サブフレームおよび周期性のうちの少なくとも１つを決定する。
【００２７】
[0041]ステップ４１４、４２４および４３２は、たとえば、それの信号が検出され、構成可能基地局によって回復された、異なる別の隣接基地局に対応して、複数回繰り返され得、時々複数回繰り返されることを諒解されたい。
【００２８】
[0042]動作は、ステップ４２６およびステップ４３２から接続ノードＡ４３８を介してステップ４４０に進む。ステップ４４０において、構成可能基地局は、前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択し、前記第２のフレームタイミングが前記第１のフレームタイミングとは異なり、アップリンクＰＲＡＣＨ通信リソースの前記第２のセットがアップリンクＰＲＡＣＨ通信リソースの前記第１のセットとは異なる。様々な実施形態では、ステップ４４０はステップ４４２および４５０のうちの１つまたは両方を含む。
【００２９】
[0043]ステップ４４２において、構成可能基地局は、前記第２のフレームタイミングについて、サブフレーム持続時間の非負整数倍であるフレームタイミングオフセットＮを決定する。いくつかの実施形態では、構成可能基地局は、前記第２のフレームタイミングについて、サブフレーム分割の非０整数倍であるフレームタイミングオフセットＮを決定する。
【００３０】
[0044]これにより、サブフレームは、隣接基地局間であるが異なるフレーム境界間で整合され、すなわち、異なる隣接基地局に対応するフレームが異なる時間に開始する。したがって、異なる隣接基地局は、異なるサブフレームインデックス値が整合されるサブフレームを有し得、時々有する。いくつかの実施形態では、Ｎは０〜４の範囲内にあり、ＰＳＳはフレームの第６のサブフレーム中で送信される。いくつかのそのような実施形態では、Ｎは０〜４の範囲内にあり、ＰＳＳおよびＳＳＳは第１のサブフレームと第６のサブフレームの両方、たとえば、フレームのサブフレームインデックス番号＝０およびサブフレームインデックス番号＝５中で送信される。ステップ４４２はステップ４４４、４４６および４４８を含む。ステップ４４４において、構成可能基地局は、構成可能基地局に隣接する隣接基地局の数は、前記数が第１の隣接基地局を含む、Ｘよりも小さいか否かを決定し、ここで、Ｘは、ＰＳＳ信号を送信するために使用されるあるサブフレームから、ＰＳＳ信号を送信するために使用される次のサブフレームまでのサブフレームの数の差である。１つの例示的な実施形態では、ＰＳＳ信号は、インデックス番号＝０をもつサブフレームとインデックス番号＝５もつサブフレームとにおいて送信され、Ｘ＝５である。構成可能基地局が、隣接基地局の数がＸよりも小さいと決定した場合は、動作はステップ４４４からステップ４４６に進み、他の場合は、動作はステップ４４４からステップ４４８に進む。ステップ４４６に戻ると、ステップ４４６において、構成可能基地局は、隣接基地局のいずれかによって使用されるフレーム境界時間とは異なるフレーム境界時間を生成する第１のフレームタイミングオフセットを選択する。ステップ４４８に再同調すると、ステップ４４８において、構成可能基地局は、最も弱い信号がそこから受信された基地局のフレームタイミングを選択する。
【００３１】
[0045]ステップ４５０に戻ると、ステップ４５０において、構成可能基地局は、アップリンクＰＲＡＣＨ通信リソースの前記第２のセットが、隣接基地局によって使用されているアップリンクＰＲＡＣＨ通信リソースのセットとは異なると決定する。いくつかの実施形態では、アップリンクＰＲＡＣＨ通信リソースの前記第２のセットは、隣接基地局によって使用されているアップリンクＰＲＡＣＨ通信リソースのセットと重複しない通信リソースを使用する。
【００３２】
[0046]動作は、ステップ４４０から接続ノードＢ４５２を介して、ステップ４０４においてどの信号が受信され、処理されたかに応じて、ステップ４５４またはステップ４６０またはステップ４６２のうちの１つに進む。以下の説明はＰＳＳ／ＳＳＳ信号およびＳＩＢ信号が検出され、処理される実施形態に対応する。ただし、ステップ４５４、４５６、４５８、および４６０のうちの１つまたは複数は、いくつかの実施形態では省略されることを諒解されたい。
【００３３】
[0047]ステップ４５４において、構成可能基地局は、受信された信号から、隣接基地局によって使用されている基地局識別子を決定する。動作はステップ４５４からステップ４５６に進み、ステップ４５６において、構成可能基地局は、隣接基地局によって使用中であると決定された基地局識別子とは異なる基地局識別子を選択する。
【００３４】
[0048]動作はステップ４５６からステップ４５８に進む。ステップ４５８において、構成可能基地局は、選択された第２のフレームタイミングに従ってＰＳＳ信号とＳＳＳ信号とを送信する。動作はステップ４５８からステップ４６０に進む。ステップ４６０において、構成可能基地局は、アップリンクＰＲＡＣＨ通信リソースの前記決定する第２のセットを通信するＳＩＢ情報信号を送信する。動作はステップ４６０からステップ４５４の入力に進む。
【００３５】
[0049]いくつかの実施形態では、ステップ４０４より前に、構成可能基地局はマクロ基地局からマクロ基地局ダウンリンク信号を受信し、構成可能基地局はマクロ基地局からの受信された信号に基づいて基準時間を決定する。いくつかのそのような実施形態では、構成可能基地局フレームタイミングオフセット、たとえば、フレームタイミングオフセットＮは、ダウンリンクマクロ基地局信号に基づいて決定された基準時間に関するものである。
【００３６】
[0050]様々な実施形態では、構成可能基地局は、ＰＳＳ／ＳＳＳ信号および／またはブロードキャストチャネル信号の送信のために他の隣接基地局によって使用されているエアリンクリソースを識別する。いくつかのそのような実施形態では、構成可能基地局は、それらの識別されたリソース上で送信するのを控え、および／またはそれらの識別されたリソース上で低減された電力レベルで送信する。
【００３７】
[0051]図５は、様々な例示的な実施形態による、例示的な構成可能基地局５００の図である。例示的な基地局５００は、たとえば、図３のシステム３００の構成可能基地局のうちの１つである。いくつかの実施形態では、構成可能基地局５００は構成可能ＬＴＥフェムト基地局である。例示的な構成可能基地局５００は、図４のフローチャート４００による方法を実装し得、時々実装する。
【００３８】
[0052]構成可能基地局５００は、バス５０９を介して互いに結合されたプロセッサ５０２とメモリ５０４とを含み、様々な要素（５０２、５０４）はバス５０９を介してデータおよび情報を交換し得る。構成可能基地局５００は、さらに、図示のようにプロセッサ５０２に結合され得る入力モジュール５０６と出力モジュール５０８とを含む。ただし、いくつかの実施形態では、入力モジュール５０６と出力モジュール５０８とはプロセッサ５０２の内部に配置される。入力モジュール５０６は、受信アンテナ５５３を介して入力を受信するためのワイヤレス受信機５５２を含む。入力モジュール５０６は入力信号を受信することができる。入力モジュール５０６は、入力を受信するためのワイヤードおよび／または光入力インターフェース５５４をさらに含む。出力モジュール５０８は、送信アンテナ５５７を介して出力を送信するためのワイヤレス送信機５５６を含む。出力モジュール５０８は、出力を送信するためのワイヤードおよび／または光出力インターフェース５５８を含む。いくつかの実施形態では、メモリ５０４は、ルーチン５１１とデータ／情報５１３とを含む。いくつかの実施形態では、構成可能基地局５００は図１および図２によるフレーム構造を実装する。
【００３９】
[0053]いくつかの実施形態では、プロセッサ５０２は、第１の隣接基地局から信号を受信することと、前記受信された信号からのリソース利用情報を決定することと、前記決定されたリソース利用情報が、前記第１の隣接基地局によってブロードキャスト制御チャネル情報の送信を制御するために使用される第１のフレームタイミングと、前記第１の隣接基地局によって使用されるアップリンクＰＲＡＣＨ通信リソースの第１のセットとのうちの少なくとも１つを含む、前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択することと、前記第２のフレームタイミングが前記第１のフレームタイミングとは異なり、アップリンクＰＲＡＣＨ通信リソースの前記第２のセットがアップリンクＰＲＡＣＨ通信リソースの前記第１のセットとは異なる、を行うように構成される。
【００４０】
[0054]いくつかの実施形態では、前記信号は１次同期信号（ＰＳＳ）と２次同期信号（ＳＳＳ）とを含み、プロセッサ５０２は、リソース利用情報を決定するように構成されることの一部として、前記第１のフレームタイミングを決定するように構成される。
【００４１】
[0055]いくつかの実施形態では、前記信号はシステム情報ブロック（ＳＩＢ）情報信号を含み、プロセッサ５０２は、リソース利用情報を決定するように構成されることの一部として、アップリンクＰＲＡＣＨ通信リソースの前記第１のセット中のアップリンクＰＲＡＣＨ通信リソースのトーン、サブフレームおよび周期性のうちの少なくとも１つを決定するように構成される。
【００４２】
[0056]いくつかの実施形態では、プロセッサ５０２は、前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択するように構成されることの一部として、サブフレーム持続時間の非負整数倍であるフレームタイミングオフセットＮを決定するように構成される。いくつかの実施形態では、Ｎは０〜４の範囲内にあり、ＰＳＳはフレームの第６のサブフレーム中で送信される。
【００４３】
[0057]いくつかのそのような実施形態では、プロセッサ５０２は、前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択するように構成されることの一部として、サブフレーム持続時間の非０整数倍であるフレームタイミングオフセットＮを決定するように構成される。いくつかの実施形態では、Ｎは１〜４の範囲内にあり、ＰＳＳはフレームの第６のサブフレーム中で送信される。
【００４４】
[0058]様々な実施形態では、プロセッサ５０２は、フレームタイミングオフセットを決定するように構成されることの一部として、構成可能基地局に隣接する隣接基地局の数は、前記数が第１の隣接基地局を含む、Ｘよりも小さく、ここで、Ｘが、ＰＳＳ信号を送信するために使用されるあるサブフレームから、ＰＳＳ信号を送信するために使用される次のサブフレームまでのサブフレームの数の差であるとき、隣接基地局のいずれかによって使用されるフレーム境界時間とは異なるフレーム境界時間を生成する第１のフレームタイミングオフセットを選択するように構成される。いくつかのそのような実施形態では、プロセッサ５０２は、フレームタイミングオフセットを決定するように構成されることの一部として、隣接基地局の数がＸに等しいかまたはそれよりも大きいとき、最も弱い信号がそこから受信された基地局のフレームタイミングを選択するように構成される。
【００４５】
[0059]いくつかのそのような実施形態では、プロセッサ５０２は、受信された信号から、隣接基地局によって使用されている基地局識別子を決定することと、隣接基地局によって使用中であると決定された基地局識別子とは異なる基地局識別子を選択することとを行うようにさらに構成される。
【００４６】
[0060]図６は、図５に示した例示的な構成可能基地局５００中で使用され得、いくつかの実施形態では、使用されるモジュールのアセンブリ６００を示す図である。アセンブリ６００中のモジュールは、たとえば、個別回路として、図５のプロセッサ５０２内のハードウェアで実装され得る。代替的に、それらのモジュールは、ソフトウェアで実装され、図５に示した構成可能基地局５００のメモリ５０４に記憶され得る。いくつかのそのような実施形態では、モジュールのアセンブリ６００は、図５の構成可能基地局５００のメモリ５０４のルーチン５１１中に含まれる。図５の実施形態では単一のプロセッサ、たとえば、コンピュータとして示されているが、プロセッサ５０２は、１つまたは複数のプロセッサ、たとえば、コンピュータとして実装され得ることを諒解されたい。ソフトウェアで実装されるとき、それらのモジュールはコードを含み、そのコードは、プロセッサによって実行されたとき、プロセッサ５０２、たとえば、コンピュータを、そのモジュールに対応する機能を実装するように構成する。いくつかの実施形態では、プロセッサ５０２は、モジュールのアセンブリ６００のうちのモジュールの各々を実装するように構成される。モジュールのアセンブリ６００がメモリ５０４に記憶されるいくつかの実施形態では、メモリ５０４は、少なくとも１つのコンピュータ、たとえば、プロセッサ５０２に、モジュールが対応する機能を実装させるためのコード、たとえば、モジュールごとの個別コードを備えるコンピュータ可読媒体、たとえば、非一時的コンピュータ可読媒体を備えるコンピュータプログラム製品である。
【００４７】
[0061]完全にハードウェアベースのまたは完全にソフトウェアベースのモジュールが使用され得る。ただし、機能を実装するために、（たとえば、回路実装型の）ソフトウェアモジュールとハードウェアモジュールの任意の組合せが使用され得ることを諒解されたい。図４に示すモジュールは、図４のフローチャート４００の方法において図示および／または説明した対応するステップの機能を実行するように構成可能基地局５００、またはプロセッサ５０２などのその構成可能基地局５００中の要素を制御および／または構成することを諒解されたい。
【００４８】
[0062]モジュールのアセンブリ６００は、部分Ａ６０１と部分Ｂ６０３と部分Ｃ６０５との組合せを備える。モジュールのアセンブリ６００は、１つまたは複数の隣接基地局の各々から信号を受信するように構成されたモジュール６０４を含む。モジュール６０４は、第１の隣接基地局から信号を受信するように構成されたモジュール６０６と、別の隣接基地局から追加の信号を受信するように構成されたモジュール６１４とを含む。モジュール６０６は、前記第１の隣接基地局から１次同期信号（ＰＳＳ）と２次同期信号（ＳＳＳ）とを受信するように構成されたモジュール６１０と、前記第１の隣接基地局からシステム情報ブロック（ＳＩＢ）信号を受信するように構成されたモジュール６１２とを含む。モジュール６１４は、前記別の隣接基地局から１次同期信号（ＰＳＳ）と２次同期信号（ＳＳＳ）とを受信するように構成されたモジュール６１８と、前記別の隣接基地局からシステム情報ブロック（ＳＩＢ）信号を受信するように構成されたモジュール６２０とを含む。
【００４９】
[0063]モジュールのアセンブリ６００は、第１の隣接基地局からの受信された１次同期信号（ＰＳＳ）と受信された２次同期信号（ＳＳＳ）との強度を測定するように構成されたモジュール６２２と、別の隣接基地局からの受信された１次同期信号（ＰＳＳ）と受信された２次同期信号（ＳＳＳ）との強度を測定するように構成されたモジュール６２４とをさらに含む。
【００５０】
[0064]モジュールのアセンブリ６００は、前記受信された信号からのリソース利用情報を決定するように構成されたモジュール６２６をさらに含み、前記決定されたリソース利用情報は、前記第１の隣接基地局によってブロードキャスト制御チャネル情報の送信を制御するために使用される第１のフレームタイミングと、前記第１の隣接基地局によって使用されるアップリンクＰＲＡＣＨ通信リソースの第１のセットとのうちの少なくとも１つを含む。モジュール６２６は、前記第１のフレームタイミングを決定するように構成されたモジュール６２８と、アップリンクＰＲＡＣＨ通信リソースの前記第１のセット中のアップリンクＰＲＡＣＨ通信リソースのトーン、サブフレームおよび周期性のうちの少なくとも１つを決定するように構成されたモジュール６３０とを含む。
【００５１】
[0065]モジュールのアセンブリ６００は、前記追加の受信された信号からのリソース利用情報を決定するように構成されたモジュール６３２をさらに含み、前記決定されたリソース利用情報は、前記別の隣接基地局によってブロードキャスト制御チャネル情報の送信を制御するために使用される別のフレームタイミングと、前記別の隣接基地局によって使用されるアップリンクＰＲＡＣＨ通信リソースの別のセットとのうちの少なくとも１つを含む。モジュール６３２は、前記別のフレームタイミングを決定するように構成されたモジュール６３４と、アップリンクＰＲＡＣＨ通信リソースの前記別のセット中のアップリンクＰＲＡＣＨ通信リソースのトーン、サブフレームおよび周期性のうちの少なくとも１つを決定するように構成されたモジュール６３６とを含む。
【００５２】
[0066]モジュールのアセンブリ６００は、決定されたリソース利用情報に基づいて、前記構成可能基地局によって使用されるべき、第２のフレームタイミングまたはアップリンクＰＲＡＣＨ通信リソースの第２のセットのうちの少なくとも１つを選択するように構成されたモジュール６４０をさらに含み、前記第２のフレームタイミングは前記第１のフレームタイミングとは異なり、アップリンクＰＲＡＣＨ通信リソースの前記第２のセットはアップリンクＰＲＡＣＨ通信リソースの前記第１のセットとは異なる。モジュール６４０は、前記第２のフレームタイミングについて、サブフレーム持続時間の非負整数倍であるフレームタイミングオフＮを決定するように構成されたモジュール６４２と、アップリンクＰＲＡＣＨ通信リソースの前記第２のセットが、隣接基地局によって使用されているアップリンクＰＲＡＣＨ通信リソースのセットとは異なると決定するように構成されたモジュール６５０とを含む。モジュール６４２は、構成可能基地局に隣接する隣接基地局の数は、前記数が前記第１の隣接基地局を含む、Ｘよりも小さいかどうかを決定するように構成されたモジュール６４４と、ここで、Ｘは、ＰＳＳ信号を送信するために使用されるあるサブフレームから、ＰＳＳ信号を送信するために使用される次のサブフレームまでのサブフレームの数の差である、隣接する隣接基地局の数がＸよりも小さいとき、隣接基地局のいずれかによって使用されるフレーム境界時間とは異なるフレーム境界時間を生成する第１のフレームタイミングオフセットを選択するように構成されたモジュール６４６と、隣接基地局の数がＸよりも大きいか、またはそれに等しいとき、最も弱い信号がそこから検出された基地局のフレームタイミングを選択するように構成されたモジュール６４８とを含む。
【００５３】
[0067]モジュールのアセンブリ６００は、受信された信号から、隣接基地局によって使用されている基地局識別子を決定するように構成されたモジュール６５４と、隣接基地局によって使用中であると決定された基地局識別子とは異なる基地局識別子を選択するように構成されたモジュール６５６と、選択された第２のフレームタイミングに従って１次同期信号（ＰＳＳ）と２次同期信号（ＳＳＳ）とを送信するように構成されたモジュール６５８と、アップリンクＰＲＡＣＨ通信リソースの前記決定された第２のセットを通信するＳＩＢ情報信号を送信するように構成されたモジュール６６０とをさらに含む。
【００５４】
[0068]いくつかの実施形態では、モジュールのアセンブリ６００は、マクロ基地局からダウンリンク信号を受信するように構成されたモジュール６７５と、マクロ基地局からの受信されたダウンリンク信号に基づいて基準時間を決定するように構成されたモジュール６７６と、１次同期信号と２次同期信号とを送信するために、検出された隣接基地局によって使用されているリソース上での送信を控えるように構成可能基地局を制御するように構成されたモジュール６７７と、物理ブロードキャストチャネル信号を送信するために、検出された隣接基地局によって使用されているリソース上での送信を控えるように構成可能基地局を制御するように構成されたモジュール６７８と、１次同期信号と２次同期信号とを送信するために、検出された隣接基地局によって使用されているリソース上で低減された電力レベルで送信するように構成可能基地局を制御するように構成されたモジュール６７９と、物理ブロードキャストチャネル信号を送信するために、検出された隣接基地局によって使用されているリソース上で低減された電力レベルで送信するように構成可能基地局を制御するように構成されたモジュール６８０と、前記第２のフレームタイミングについて、サブフレーム持続時間の非０倍数であるフレームタイミングオフセットＮを決定するように構成されたモジュール６４３とのうちの１つまたは複数または全部を含む。
【００５５】
[0069]いくつかの実施形態では、モジュール６４３はモジュール６４２の代わりに使用される。いくつかの実施形態では、モジュール６４２は、Ｎが０、１、２、３および４のうちの１つであると決定する。いくつかの実施形態では、モジュール６４２は、Ｎが１、２、３および４のうちの１つであると決定する。
【００５６】
[0070]様々な実施形態では、モジュール６７６は基準時間を決定し、サブフレームの倍数単位であるフレームタイミングオフセットＮは決定された基準時間に関するものである。
【００５７】
[0071]図７〜図８に、例示的な実施形態による、構成可能フェムト基地局が、それの近傍で動作している他のフェムト基地局の検出されたフレームタイミングに基づいてそれのフレームタイミングを決定する一例を示す。
【００５８】
[0072]図７の図面７００は、例示的なマクロ基地局１  ７０２と、マクロ基地局１  ７０２のマクロセル内に位置する複数の構成可能フェムト基地局（構成可能フェムトＢＳ  Ａ７０４、構成可能フェムトＢＳ  Ｂ７０６、構成可能フェムトＢＳ  Ｃ７０８）とを示す。フェムトＢＳ（７０４、７０６、７０８）が同じ共通共有周波数帯域を使用すると考える。さらに、フェムト基地局（７０４、７０６、７０８）が動作しているエリア中にシンボルレベル同期およびサブフレームレベル同期があると考える。ただし、異なるフェムト基地局のフレーム境界は、異なり得、時々異なり、たとえば、サブフレームの倍数によってオフセットされ得、時々オフセットされる。
【００５９】
[0073]構成可能フェムトＢＳ  Ａ７０４と構成可能フェムトＢＳ  Ｂ７０６とは、前に構成されており、動作していると考える。フェムトＢＳ  Ａ７０４は、前に選択されており、ブロック７１０によって示されるフレームタイミング基準オフセット＝０と、ブロック７１２によって示されるＩＤ＝１と、ブロック７１４によって示されるアップリンクＰＲＡＣＨ通信リソースのセットＡとを現在使用している。フェムトＢＳ  Ｂ７０６は、前に選択されており、ブロック７１６によって示されるフレームタイミング基準オフセット＝１サブフレームと、ブロック７１８によって示されるＩＤ＝２と、ブロック７２０によって示されるアップリンクＰＲＡＣＨ通信リソースのセットＢとを現在使用している。アップリンクＰＲＡＣＨ通信リソースのセットＡは、アップリンクＰＲＡＣＨ通信リソースのセットＢと重複しない。
【００６０】
[0074]マクロ基地局１  ７０２は、ダウンリンク信号７２２を送信している。ブロック７２４によって示されるように、構成可能フェムトＢＳ  Ｃ７０８は、マクロＢＳ  ＤＬ信号７２２を受信し、受信されたマクロセルＤＬ信号７２２からタイミング基準を導出する。
【００６１】
[0075]フェムトＢＳ  Ａ７０４は、フェムト基地局Ａフレームタイミングに従ってＰＳＳ７２６およびＳＳＳ７２８を時々送信し、ＩＤ＝１を通信している。ブロック７３０によって示されるように、構成可能ＢＳ  Ｃ７０８は、フェムトＢＳ  ＡからＰＳＳおよびＳＳＳを受信し、フェムトＢＳ  Ａが、タイミング基準に関して、フレームタイミングオフセット＝０を使用しており、ＩＤ＝１を使用していると決定する。
【００６２】
[0076]フェムトＢＳ  Ｂ７０６は、フェムト基地局Ｂフレームタイミングに従ってＰＳＳ７３２およびＳＳＳ７３４を時々送信し、ＩＤ＝２を通信している。ブロック７３６によって示されるように、構成可能ＢＳ  Ｃ７０８は、フェムトＢＳ  ＢからＰＳＳおよびＳＳＳを受信し、フェムトＢＳ  Ｂが、タイミング基準に関して、フレームタイミングオフセット＝１サブフレームを使用しており、ＩＤ＝２を使用していると決定する。
【００６３】
[0077]構成可能フェムトＢＳ  Ｃ７０８は、タイミング基準に関して、フレームタイミングオフセット＝２サブフレームを使用することを選択し、ＩＤ＝３を使用することを選択する。この例では、構造は、以下の５つの代替フレームタイミングオフセットがあるようなものである。０サブフレーム、１サブフレーム、２サブフレーム、３サブフレーム、および４サブフレーム。構成可能フェムトＢＳ  Ｃ７０８は、それの局所近傍にあるフェムト基地局によって現在使用されていないフレームタイミングオフセットを使用することを意図的に選択した。構成可能フェムトＢＳ  Ｃ７０８は、それの局所近傍にあるフェムト基地局によって現在使用されていないＩＤを使用することを意図的に選択した。
【００６４】
[0078]フェムトＢＳ  Ａ７０４は、フェムトＢＳ  Ａフレームタイミングに従って、アップリンクＰＲＡＣＨ通信リソースのセットＡを識別する情報を通信するＳＩＢ信号７４０を時々送信する。ブロック７４２によって示されるように、構成可能フェムトＢＳ  Ｃ７０８は、フェムトＢＳ  ＡからＳＩＢ信号７４０を受信し、アップリンクＰＲＡＣＨ通信リソースのセットＡを識別する情報を復元する。フェムトＢＳ  Ｂ７０６は、フェムトＢＳ  Ｂフレームタイミングに従って、アップリンクＰＲＡＣＨ通信リソースのセットＢを識別する情報を通信するＳＩＢ信号７４４を時々送信する。ブロック７４６によって示されるように、構成可能フェムトＢＳ  Ｃ７０８は、フェムトＢＳ  ＡからＳＩＢ信号７４４を受信し、アップリンクＰＲＡＣＨ通信リソースのセットＢを識別する情報を復元する。ブロック７４８によって示されるように、構成可能フェムトＢＳ  Ｃ７０８は、アップリンクＰＲＡＣＨ通信リソースのセットＡおよびアップリンクＰＲＡＣＨ通信リソースのセットＢと重複しないアップリンクＰＲＡＣＨ通信リソースのセットＣを使用することを選択する。
【００６５】
[0079]図８の図面８００は、構成可能フェムト基地局Ｃ  ７０８が図７で説明した選択に従って自己構成したことを示す。フェムトＢＳ  Ｃ７０８は、前に選択されており、ブロック８０２によって示されるフレームタイミング基準オフセット＝２サブフレームと、ブロック８０４によって示されるＩＤ＝３と、ブロック８０６によって示されるアップリンクＰＲＡＣＨ通信リソースのセットＣとを現在使用している。
【００６６】
[0080]フェムトＢＳ  Ｃ７０８は、フェムト基地局Ｃフレームタイミングに従ってＰＳＳ８０８およびＳＳＳ８１０を時々送信し、ＩＤ＝３を通信している。フェムトＢＳ  Ｃ７０８は、フェムトＢＳ  Ｃフレームタイミングに従って、アップリンクＰＲＡＣＨ通信リソースのセットＣを識別する情報を通信するＳＩＢ信号８１２を時々送信する。
【００６７】
[0081]例示的なＵＥ  Ａ８５０は、フェムト基地局（７０４、７０６、７０８）の各々からＰＳＳ／ＳＳＳ信号およびＳＩＢ信号を受信し、復元することが可能である。
【００６８】
[0082]図９〜図１０に、例示的な実施形態による、構成可能フェムト基地局が、それの近傍で動作している他のフェムト基地局の検出されたフレームタイミングに基づいてそれのフレームタイミングを決定する別の例を示す。
【００６９】
[0083]図９の図面９００は、例示的なマクロ基地局１  ９０２と、マクロ基地局１  ９０２のマクロセル内に位置する複数の構成可能フェムト基地局（構成可能フェムトＢＳ  Ａ９０４、構成可能フェムトＢＳ  Ｂ９０６、構成可能フェムトＢＳ  Ｃ９０８、構成可能フェムトＢＳ  Ｄ９１０、構成可能フェムトＢＳ  Ｅ９１２、構成可能フェムトＢＳ  Ｆ９１４）とを示す。フェムトＢＳ（９０４、９０６、９０８、９１０、９１２、９１４）が同じ共通共有周波数帯域を使用することについて考える。さらに、シンボルレベル同期およびサブフレームレベル同期が、フェムト基地局（９０４、９０６、９０８、９１０、９１２、９１４）が動作しているエリアにあると考える。ただし、異なるフェムト基地局のフレーム境界は、異なり得、時々異なる、たとえば、サブフレームの倍数によってオフセットされ得、時々オフセットされる。
【００７０】
[0084]構成可能フェムトＢＳ  Ａ９０４と、構成可能フェムトＢＳ  Ｂ９０６と、構成可能フェムトＢＳ  Ｄ９１０と、構成可能フェムトＢＳ  Ｅ９１２と、構成可能フェムトＢＳ  Ｆ９１４とは、前に構成されており、動作していると考える。フェムトＢＳ  Ａ９０４は、前に選択されており、ブロック９１６によって示されるフレームタイミング基準オフセット＝０と、ブロック９１８によって示されるＩＤ＝１と、ブロック９２０によって示されるアップリンクＰＲＡＣＨ通信リソースのセットＡとを現在使用している。フェムトＢＳ  Ｂ９０６は、前に選択されており、ブロック９２２によって示されるフレームタイミング基準オフセット＝１サブフレームと、ブロック９２４によって示されるＩＤ＝２と、ブロック９２６によって示されるアップリンクＰＲＡＣＨ通信リソースのセットＢとを現在使用している。フェムトＢＳ  Ｄ９１０は、前に選択されており、ブロック９２８によって示されるフレームタイミング基準オフセット＝３サブフレームと、ブロック９３０によって示されるＩＤ＝５と、ブロック９３２によって示されるアップリンクＰＲＡＣＨ通信リソースのセットＤとを現在使用している。フェムトＢＳ  Ｅ９１２は、前に選択されており、ブロック９３４によって示されるフレームタイミング基準オフセット＝２サブフレームと、ブロック９３６によって示されるＩＤ＝７と、ブロック９３８によって示されるアップリンクＰＲＡＣＨ通信リソースのセットＥとを現在使用している。フェムトＢＳ  Ｆ９１４は、前に選択されており、ブロック９４０によって示されるフレームタイミング基準オフセット＝４サブフレームと、ブロック９４２によって示されるＩＤ＝４と、ブロック９４４によって示されるアップリンクＰＲＡＣＨ通信リソースのセットＦとを現在使用している。アップリンクＰＲＡＣＨ通信リソース（セットＡ、セットＢ、セットＣ、セットＤ、セットＥおよびセットＦ）の各セットは、アップリンクＰＲＡＣＨ通信リソースの他のセットと重複しない。
【００７１】
[0085]マクロ基地局１  ９０２は、ダウンリンク信号９４６を送信している。ブロック９４８によって示されるように、構成可能フェムトＢＳ  Ｃ９０８は、マクロＢＳ  ＤＬ信号９４６を受信し、受信されたマクロセルＤＬ信号からタイミング基準を導出する。
【００７２】
[0086]フェムトＢＳ  Ａ９０４は、フェムト基地局Ａフレームタイミングに従ってＰＳＳ９５０およびＳＳＳ９５２を時々送信し、ＩＤ＝１を通信している。フェムトＢＳ  Ｂ９０６は、フェムト基地局Ｂフレームタイミングに従ってＰＳＳ９５４およびＳＳＳ９５６を時々送信し、ＩＤ＝２を通信している。フェムトＢＳ  Ｅ９１２は、フェムト基地局Ｅフレームタイミングに従ってＰＳＳ９５８およびＳＳＳ９６０を時々送信し、ＩＤ＝７を通信している。フェムトＢＳ  Ｄ９１０は、フェムト基地局Ｄフレームタイミングに従ってＰＳＳ９６０およびＳＳＳ９６２を時々送信し、ＩＤ＝５を通信している。フェムトＢＳ  Ｆ９１４は、フェムト基地局Ｆフレームタイミングに従ってＰＳＳ９６４およびＳＳＳ９６６を時々送信し、ＩＤ＝４を通信している。
【００７３】
[0087]ブロック９６８によって示されるように、構成可能フェムトＢＳ  Ｃ９０８は、他のフェムト基地局からＰＳＳおよびＳＳＳを受信する。ブロック９７０によって示されるように、構成可能フェムトＢＳ  Ｃ９０８は、受信されたＰＳＳおよびＳＳＳ信号の電力を測定する。構成可能フェムト基地局Ｃ９０８は、受信されたＰＳＳおよびＳＳＳ信号に基づいて、すでに使用されている代替タイミングの各々を決定する。この例では、構造は、以下の５つの代替フレームタイミングオフセットがあるようなものである。０サブフレーム、１サブフレーム、２サブフレーム、３サブフレーム、および４サブフレーム。この例では、可能な代替タイミングの各々は、隣接フェムト基地局によってすでに使用されている。構成可能基地局Ｃ９０８は、隣接フェムト基地局から受信された受信同期信号の受信信号強度を比較し、隣接フェムト基地局のどの信号が最低電力レベルで受信されているかを決定する。ブロック９７４によって示されるように、構成可能フェムト基地局Ｃ９０８は、オフセット＝３サブフレームをもつフレームタイミングを使用することを選択し、ＩＤ＝６を使用することを選択する。オフセット＝３サブフレームを使用しているフェムトＢＳ  Ｄ９１０がフェムトＢＳ  Ｃ９０８から最も離れており、フェムトＢＳ  Ｃ９０８におけるそれの受信された信号が最も弱いことに留意されたい。また、選択されたＩＤ＝６は他のフェムト基地局（９０４、９０６、９１０、９１２、９１４）のいずれによっても使用されていないことに留意されたい。
【００７４】
[0088]フェムト基地局（９０４、９０６、９１２、９１０、９１４）の各々は、それ自体のフレームタイミングに従って、それぞれアップリンクＰＲＡＣＨ通信リソースのセット（アップリンクＰＲＡＣＨ通信リソースのセットＡ、アップリンクＰＲＡＣＨ通信リソースのセットＢ、アップリンクＰＲＡＣＨ通信リソースのセットＥ、アップリンクＰＲＡＣＨ通信リソースのセットＤ、アップリンクＰＲＡＣＨ通信リソースのセットＦ）を識別する情報を通信するＳＩＢ信号（９７６、９７８、９８０、９８２、９８４）をそれぞれ時々送信する。ブロック９８６によって示されるように、構成可能フェムトＢＳ  Ｃ９０８は、フェムトＢＳからＳＩＢ信号を受信し、使用中であるアップリンクＰＲＡＣＨ通信リソースのセットを識別する情報を復元する。ブロック９８８によって示されるように、構成可能フェムトＢＳ  Ｃ９０８は、すでに使用中のアップリンクＰＲＡＣＨ通信リソースのセットの各々と重複しないアップリンクＰＲＡＣＨ通信リソースのセットＣを使用することを選択する。
【００７５】
[0089]図１０の図面１０００は、構成可能フェムト基地局Ｃ  ９０８が図８で説明した選択に従って自己構成したことを示す。フェムトＢＳ  Ｃ９０８は、前に選択されており、ブロック１００２によって示されるフレームタイミング基準オフセット＝３サブフレームと、ブロック１００４によって示されるＩＤ＝６と、ブロック１００６によって示されるアップリンクＰＲＡＣＨ通信リソースのセットＣとを現在使用している。
【００７６】
[0090]フェムトＢＳ  Ｃ９０８は、フェムト基地局Ｃフレームタイミングに従ってＰＳＳ１００８およびＳＳＳ１０１０を時々送信し、ＩＤ＝６を通信している。フェムトＢＳ  Ｃ９０８は、フェムトＢＳ  Ｃフレームタイミングに従って、アップリンクＰＲＡＣＨ通信リソースのセットＣを識別する情報を通信するＳＩＢ信号１０１２を時々送信する。
【００７７】
[0091]必ずしもすべてではないが、いくつかの実施形態の様々な態様および／または特徴についてさらに以下で説明する。様々な実施形態は、ＬＴＥにおける同期信号およびブロードキャストチャネルなど、制御情報への、隣接基地局、たとえば、フェムトセルによって引き起こされる干渉を最小限に抑えるための方法および／または装置を対象とする。この干渉制御は、隣接基地局、たとえば、隣接フェムト基地局によって送信されている重要な制御情報信号、たとえば、ＳＳＳ／ＰＳＳおよび／またはＰＢＣＨ信号のＵＥデバイスによる復元を可能にする。
【００７８】
[0092]シンボルレベル同期は、通常、フラクショナル周波数再利用のような方式が機能するために必要とされる。サブフレームレベル同期はまた、通常、干渉協調方式が機能するために必要とされる。ただし、フレームレベル同期は、重要なシステム情報が衝突することを引き起こし得る。上記見解を考慮して、新しい開発された方法および装置は、ＰＳＳ／ＳＳＳ信号およびＢＣＨ信号への干渉を最小限に抑えるための単純な解決策を採用する。
【００７９】
[0093]例示的な一実施形態では、エリア中のスモールセル、たとえば、フェムトセルは、シンボルレベルおよびサブフレームレベルにおいて同期的である動作させられる。したがってローカルに、たとえば、隣接フェムトセルは、様々な実施形態では、シンボルおよびサブフレームレベルにおいて同期的である傾向がある。これは、スモールセル基地局、たとえば、フェムトセル基地局が、ＮＥＴＷＯＲＫ＿ＬＩＳＴＥＮモードにおいてマクロセルのＤＬ信号をリッスンし、マクロセルのＤＬタイミングからそれらのタイミングを導出することによって達成され得、いくつかの実施形態では、達成される。ただし、いくつかの実施形態の特徴によれば、境界が他のすぐ近くの、たとえば、隣接するスモールセルのフレーム境界と整合しないように、スモールセルはそれらのフレーム境界をオフセットする。図１１に、この解決策を図式的に示す。
【００８０】
[0094]図１１の図面１３００は、４つの例示的な構成可能スモールセル基地局（構成可能スモールセルＢＳ１  １３０２、構成可能スモールセル基地局２  １３０４、構成可能スモールセルＢＳ３  １３０６、構成可能スモールセルＢＳ４  １３０８）と、それぞれ、対応するフレームタイミング（１３１２、１３１４、１３１６、１３１８）を示す。水平軸１３０１は時間を表す。例示的な構成可能スモールセルＢＳ１フレームタイミング１３１２は、１０サブフレーム（サブフレーム０  １３２０、サブフレーム１  １３２１、サブフレーム２  １３２２、サブフレーム３  １３２３、サブフレーム４  １３２４、サブフレーム５  １３２５、サブフレーム６  １３２６、サブフレーム７  １３２７、サブフレーム８  １３２８、サブフレーム９  １３２９）を含む。フレーム１３１２は、線１３０３によって示される持続時間１０ミリ秒を有し、ハーフフレームは、線１３０５によって示される５ミリ秒の持続時間を有し、サブフレームは、線１３０７によって示される１ミリ秒の持続時間を有する。
【００８１】
[0095]例示的な構成可能スモールセルＢＳ２フレームタイミング１３１４は、１０サブフレーム（サブフレーム０  １３３０、サブフレーム１  １３３１、サブフレーム２  １３３２、サブフレーム３  １３３３、サブフレーム４  １３３４、サブフレーム５  １３３５、サブフレーム６  １３３６、サブフレーム７  １３３７、サブフレーム８  １３３８、サブフレーム９  １３３９）を含む。例示的な構成可能スモールセルＢＳ３フレームタイミング１３１６は、１０サブフレーム（サブフレーム０  １３４０、サブフレーム１  １３４１、サブフレーム２  １３４２、サブフレーム３  １３４３、サブフレーム４  １３４４、サブフレーム５  １３４５、サブフレーム６  １３４６、サブフレーム７  １３４７、サブフレーム８  １３４８、サブフレーム９  １３４９）を含む。例示的な構成可能スモールセルＢＳ４フレームタイミング１３１８は、１０サブフレーム（サブフレーム０  １３５０、サブフレーム１  １３５１、サブフレーム２  １３５２、サブフレーム３  １３５３、サブフレーム４  １３５４、サブフレーム５  １３５５、サブフレーム６  １３５６、サブフレーム７  １３５７、サブフレーム８  １３５８、サブフレーム９  １３５９）を含む。
【００８２】
[0096]本手法は、異なるフレームタイミングをもつすぐ近くのスモールセルのＰＳＳ／ＳＳＳとＢＣＨとが衝突しないことを保証する。他のセルの同期信号およびＢＣＨチャネルへの干渉を低減するために、スモールセル基地局はまた、何も送信しないか、または別のスモールセルがＰＳＳ／ＳＳＳおよびＢＣＨなど、それの制御信号を送信する時間／周波数リソースブロック中で低電力で送信するようにそれの送信機を制御し得、いくつかの実施形態では、制御する。たとえば、図１３では、スモールセル基地局２  １３０４、スモールセル基地局３  １３０６、およびスモールセル基地局４  １３０８は、スモールセル基地局１のサブフレーム０中に起こるスモールセル基地局１のＢＣＨ送信への干渉を低減するために、それぞれそれらのサブフレーム９  １３３９、サブフレーム８  １３４８、およびサブフレーム７  １３５７の中央の６つのリソースブロック中でより少ない電力で送信する。
【００８３】
[0097]ネットワーク事業者ではなく個人によって所有されるユーザ展開スモールセル基地局、たとえば、ユーザ展開フェムトセルセル基地局の場合、スモールセル基地局はＮＥＴＷＯＲＫ＿ＬＩＳＴＥＮモードにおいて近くのセルのフレーム境界を決定し、他のスモールセルの境界と衝突しないフレーム境界を選ぶことができる。それが可能でない場合、最も遠いセルのフレーム境界と衝突するようにフレーム境界を選ぶ。
【００８４】
[0098]様々な実施形態では、アップリンク中でＰＲＡＣＨリソースを割り振る際に同様のアイデアが使用される。いくつかの実施形態では、すぐ近くのスモールセル基地局は、すぐ近くのセルのＰＲＡＣＨリソースに時間および／または周波数において直交するＰＲＡＣＨリソースを割り振る。これは、フォールスアラームを低減し、スモールセルの効率を改善することができる。スモールセルがアイドル状態である場合、重複ＰＲＡＣＨリソースを有すると、複数のセルが誤ってオンになり得、それにより他のセルへの干渉が増加することがある。したがって、すぐ近くのスモールセルによって使用中でないＰＲＡＣＨ通信リソースを意図的に選択すると、フォールスアラームが低減し、干渉が減少する傾向がある。
【００８５】
[0099]様々な実施形態では、デバイス、たとえば、図３のシステム３００中の構成可能基地局、および／または図５の構成可能基地局５００、および／または図３〜図１３のいずれかの構成可能基地局は、本出願の図３〜図１３のいずれかに関して説明した、および／または本出願の発明を実施するための形態で説明した個々のステップおよび／または動作の各々に対応するモジュールを含む。いくつかの実施形態では、モジュールはハードウェアで、たとえば、回路の形態で実装される。したがって、少なくともいくつかの実施形態では、モジュールはハードウェアで実装され得、時々実装される。他の実施形態では、モジュールは、デバイス、たとえば、構成可能基地局のプロセッサによって実行されたとき、対応するステップまたは動作をデバイスに実装させるプロセッサ実行可能命令を含むソフトウェアモジュールとして実装され得、時々実装される。さらに他の実施形態では、モジュールの一部または全部が、ハードウェアとソフトウェアの組合せとして実装される。
【００８６】
[00100]様々な実施形態の技法は、ソフトウェア、ハードウェア、および／またはソフトウェアとハードウェアの組合せを使用して実装され得る。様々な実施形態は、装置、たとえば、構成可能基地局、ネットワークノード、ピアツーピア通信をサポートするモバイル端末などのモバイルノード、フェムト基地局およびマクロ基地局を含む基地局などのアクセスポイント、および／または通信システムを対象とする。様々な実施形態はまた、方法、たとえば、構成可能基地局、ネットワークノード、モバイルノード、マクロ基地局およびフェムト基地局を含む基地局などのアクセスポイントおよび／または通信システム、たとえば、ホストを制御するおよび／または動作させる方法を対象とする。様々な実施形態はまた、方法の１つまたは複数のステップを実装するように機械を制御するための機械可読命令を含む、機械、たとえば、コンピュータ、可読媒体、たとえば、ＲＯＭ、ＲＡＭ、ＣＤ、ハードディスクなどを対象とする。コンピュータ可読媒体は、たとえば、非一時的コンピュータ可読媒体である。
【００８７】
[0100]開示したプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００８８】
[0101]様々な実施形態では、本明細書で説明したノードは、１つまたは複数の方法に対応するステップ、たとえば、信号処理ステップ、信号生成ステップおよび／または送信ステップを実行するための１つまたは複数のモジュールを使用して実装される。したがって、いくつかの実施形態では、様々な特徴はモジュールを使用して実装される。そのようなモジュールは、ソフトウェア、ハードウェアまたはソフトウェアとハードウェアの組合せを使用して実装され得る。上記で説明した方法または方法ステップの多くは、たとえば１つまたは複数のノードにおいて、上記で説明した方法の全部または一部を実装するために、追加のハードウェアの有無にかかわらず、機械、たとえば汎用コンピュータを制御する、メモリデバイスなど、たとえば、ＲＡＭ、フロッピー（登録商標）ディスクなどの機械可読媒体中に含まれる、ソフトウェアなどの機械実行可能命令を使用して実装され得る。したがって、特に、様々な実施形態は、機械、たとえば、プロセッサおよび関連するハードウェアに、上記で説明した（１つまたは複数の）方法のステップのうちの１つまたは複数を実行させるための機械実行可能命令を含む機械可読媒体、たとえば、非一時的コンピュータ可読媒体を対象とする。いくつかの実施形態は、本発明の１つまたは複数の方法のステップのうちの１つ、複数、またはすべてを実装するように構成されたプロセッサを含むデバイス、たとえば、構成可能基地局を対象とする。
【００８９】
[0102]いくつかの実施形態では、１つまたは複数のデバイス、たとえば、構成可能基地局などの通信ノード、ネットワークノード、マクロ基地局およびフェムト基地局を含む基地局などのアクセスノード、および／またはワイヤレス端末の１つまたは複数のプロセッサ、たとえば、ＣＰＵは、通信ノードによって実行されるものとして説明した方法のステップを実行するように構成される。プロセッサの構成は、プロセッサ構成を制御するために１つまたは複数のモジュール、たとえば、ソフトウェアモジュールを使用することによって、ならびに／あるいは説明したステップを実行するため、および／またはプロセッサ構成を制御するためにハードウェア、たとえば、ハードウェアモジュールをプロセッサ中に含めることによって達成され得る。したがって、すべてとは限らないがいくつかの実施形態は、プロセッサが含まれるデバイスによって実行される様々な説明した方法のステップの各々に対応するモジュールを含むプロセッサをもつデバイス、たとえば、構成可能基地局などの通信ノードを対象とする。すべてとは限らないがいくつかの実施形態では、デバイス、たとえば、構成可能基地局などの通信ノードは、プロセッサが含まれるデバイスによって実行される様々な説明した方法のステップの各々に対応するモジュールを含む。モジュールは、ソフトウェアおよび／またはハードウェアを使用して実装され得る。
【００９０】
[0103]いくつかの実施形態は、１つのコンピュータ、または複数のコンピュータに、様々な機能、ステップ、行為および／または動作、たとえば、上記で説明した１つまたは複数のステップを実装させるためのコードを備えるコンピュータ可読媒体、たとえば、非一時的コンピュータ可読媒体を備えるコンピュータプログラム製品を対象とする。実施形態に応じて、コンピュータプログラム製品は、実行すべきステップごとに異なるコードを含むことができ、時々含む。したがって、コンピュータプログラム製品は、方法、たとえば、通信デバイスまたはノードを制御する方法の各個のステップごとのコードを含み得、時々含む。コードは、ＲＡＭ（ランダムアクセスメモリ）、ＲＯＭ（読取り専用メモリ）、または他のタイプの記憶デバイスなどのコンピュータ可読媒体、たとえば、非一時的コンピュータ可読媒体上に記憶される機械実行可能命令、たとえば、コンピュータ実行可能命令の形態であり得る。コンピュータプログラム製品を対象とすることに加えて、いくつかの実施形態は、上記で説明した１つまたは複数の方法の様々な機能、ステップ、行為および／または動作のうちの１つまたは複数を実装するように構成されたプロセッサを対象とする。したがって、いくつかの実施形態は、本明細書で説明した方法のステップの一部または全部を実装するように構成されたプロセッサ、たとえばＣＰＵを対象とする。プロセッサは、たとえば、本出願で説明した通信デバイスまたは他のデバイス中で使用するためのものであり得る。
【００９１】
[0104]様々な実施形態は、マクロセルラー通信、フェムトセルラー通信、およびピアツーピア通信をサポートする通信システムに好適である。様々な実施形態は、システムの少なくとも部分中でピアツーピアシグナリングプロトコル、たとえば、ピア発見シグナリングを含むピアツーピアシグナリングプロトコルを使用する通信システムに好適である。いくつかの実施形態は、直交周波数分割多重化（ＯＦＤＭ）ベースのワイヤレスピアツーピアシグナリングプロトコル、たとえば、ＷｉＦｉ（登録商標）シグナリングプロトコルまたは別のＯＦＤＭベースのプロトコルを使用する。いくつかの実施形態は、ＬＴＥをサポートするシステムに好適である。
【００９２】
[0105]ＯＦＤＭシステムに関して説明したが、様々な実施形態の方法および装置のうちの少なくともいくつかは、多くの非ＯＦＤＭおよび／または非セルラーシステムを含む広範囲の通信システムに適用可能である。
【００９３】
[0106]上記の説明に鑑みて、上記で説明した様々な実施形態の方法および装置に関する多数の追加の変形形態が当業者には明らかであろう。そのような変形形態は範囲内に入ると考えるべきである。本方法および本装置は、符号分割多元接続（ＣＤＭＡ）、ＯＦＤＭ、および／または通信デバイス間のワイヤレス通信リンクを与えるために使用され得る様々な他のタイプの通信技法とともに使用され得、様々な実施形態では使用される。いくつかの実施形態では、１つまたは複数の通信デバイスは、ＯＦＤＭおよび／またはＣＤＭＡを使用してモバイルノードとの通信リンクを確立し、ならびに／あるいはワイヤードまたはワイヤレス通信リンクを介してインターネットまたは別のネットワークへの接続性を与え得る、マクロ基地局およびフェムト基地局などのアクセスポイントとして実装される。様々な実施形態では、モバイルノードは、本方法を実装するための、受信機／送信機回路ならびに論理および／またはルーチンを含む、ノートブックコンピュータ、個人情報端末（ＰＤＡ）、または他のポータブルデバイスとして実装される。
以下に、出願当初の特許請求の範囲に記載された発明を付記する。
［Ｃ１］
構成可能基地局を動作させる方法であって、
第１の隣接基地局から信号を受信することと、
前記受信された信号からのリソース利用情報を決定することと、前記決定されたリソース利用情報が、前記第１の隣接基地局によってブロードキャスト制御チャネル情報の送信を制御するために使用される第１のフレームタイミングと、前記第１の隣接基地局によって使用されるアップリンク物理ランダムアクセスチャネル（ＰＲＡＣＨ）通信リソースの第１のセットとのうちの少なくとも１つを含む、
前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択することと、前記第２のフレームタイミングが前記第１のフレームタイミングとは異なり、アップリンクＰＲＡＣＨ通信リソースの前記第２のセットがアップリンクＰＲＡＣＨ通信リソースの前記第１のセットとは異なる、を備える、方法。
［Ｃ２］
前記信号が１次同期信号（ＰＳＳ）と２次同期信号（ＳＳＳ）とを含み、
リソース利用情報を決定することが、前記第１のフレームタイミングを決定することを含む、Ｃ１に記載の方法。
［Ｃ３］
前記信号がシステム情報ブロック（ＳＩＢ）情報信号を含み、
リソース利用情報を決定することが、アップリンクＰＲＡＣＨ通信リソースの前記第１のセット中のアップリンクＰＲＡＣＨ通信リソースのトーン、サブフレームおよび周期性のうちの少なくとも１つを決定することを含む、Ｃ１に記載の方法。
［Ｃ４］
前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択することが、
サブフレーム持続時間の非負整数倍であるフレームタイミングオフセットＮを決定することを含む、Ｃ２に記載の方法。
［Ｃ５］
Ｎが０〜４の範囲内にあり、
ＰＳＳがフレームの第６のサブフレーム中で送信される、Ｃ４に記載の方法。
［Ｃ６］
前記構成可能基地局に隣接する隣接基地局の数は、前記数が前記第１の隣接基地局を含む、Ｘよりも小さく、ここで、Ｘが、ＰＳＳ信号を送信するために使用されるあるサブフレームから、ＰＳＳ信号を送信するために使用される次のサブフレームまでのサブフレームの数の差であるとき、フレームタイミングオフセットを決定することが、
前記隣接基地局のいずれかによって使用されるフレーム境界時間とは異なるフレーム境界時間を生成する第１のフレームタイミングオフセットを選択することを含む、Ｃ４に記載の方法。
［Ｃ７］
隣接基地局の前記数がＸに等しいかまたはそれよりも大きいとき、フレームタイミングオフセットを決定することは、
最も弱い信号がそこから受信された基地局のフレームタイミングを選択することを含む、Ｃ６に記載の方法。
［Ｃ８］
前記受信された信号から、隣接基地局によって使用されている基地局識別子を決定することと、
前記隣接基地局によって使用中であると決定された基地局識別子とは異なる基地局識別子を選択することとをさらに備える、Ｃ１に記載の方法。
［Ｃ９］
構成可能基地局であって、
第１の隣接基地局から信号を受信するための手段と、
前記受信された信号からのリソース利用情報を決定するための手段と、前記決定されたリソース利用情報が、前記第１の隣接基地局によってブロードキャスト制御チャネル情報の送信を制御するために使用される第１のフレームタイミングと、前記第１の隣接基地局によって使用されるアップリンクＰＲＡＣＨ通信リソースの第１のセットとのうちの少なくとも１つを含む、
前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択するための手段と、前記第２のフレームタイミングが前記第１のフレームタイミングとは異なり、アップリンクＰＲＡＣＨ通信リソースの前記第２のセットがアップリンクＰＲＡＣＨ通信リソースの前記第１のセットとは異なる、を備える、構成可能基地局。
［Ｃ１０］
前記信号が１次同期信号（ＰＳＳ）と２次同期信号（ＳＳＳ）とを含み、
リソース利用情報を決定するための前記手段が、前記第１のフレームタイミングを決定するための手段を含む、Ｃ９に記載の構成可能基地局。
［Ｃ１１］
前記信号がシステム情報ブロック（ＳＩＢ）情報信号を含み、
リソース利用情報を決定するための前記手段が、アップリンクＰＲＡＣＨ通信リソースの前記第１のセット中のアップリンクＰＲＡＣＨ通信リソースのトーン、サブフレームおよび周期性のうちの少なくとも１つを決定するための手段を含む、Ｃ９に記載の構成可能基地局。
［Ｃ１２］
前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択するための前記手段が、
サブフレーム持続時間の非負整数倍であるフレームタイミングオフセットＮを決定するための手段を含む、Ｃ１１に記載の構成可能基地局。
［Ｃ１３］
フレームタイミングオフセットを決定するための前記手段は、
前記構成可能基地局に隣接する隣接基地局の数は、前記数が前記第１の隣接基地局を含む、Ｘよりも小さく、ここで、Ｘが、ＰＳＳ信号を送信するために使用されるあるサブフレームから、ＰＳＳ信号を送信するために使用される次のサブフレームまでのサブフレームの数の差であるとき、前記隣接基地局のいずれかによって使用されるフレーム境界時間とは異なるフレーム境界時間を生成する第１のフレームタイミングオフセットを選択するための手段を含む、Ｃ８に記載の構成可能基地局。
［Ｃ１４］
フレームタイミングオフセットを決定するための前記手段は、
隣接基地局の前記数がＸに等しいかまたはそれよりも大きいとき、最も弱い信号がそこから受信された基地局のフレームタイミングを選択するための手段を含む、Ｃ１３に記載の構成可能基地局。
［Ｃ１５］
構成可能基地局において使用するためのコンピュータプログラム製品であって、前記コンピュータプログラム製品が、
少なくとも１つのコンピュータに、第１の隣接基地局からの信号を受信させるためのコードと、
前記少なくとも１つのコンピュータに、前記受信された信号からのリソース利用情報を決定させるためのコードと、前記決定されたリソース利用情報が、前記第１の隣接基地局によってブロードキャスト制御チャネル情報の送信を制御するために使用される第１のフレームタイミングと、前記第１の隣接基地局によって使用されるアップリンクＰＲＡＣＨ通信リソースの第１のセットとのうちの少なくとも１つを含む、
前記少なくとも１つのコンピュータに、前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択させるためのコードと、前記第２のフレームタイミングが前記第１のフレームタイミングとは異なり、アップリンクＰＲＡＣＨ通信リソースの前記第２のセットがアップリンクＰＲＡＣＨ通信リソースの前記第１のセットとは異なる、
を備える非一時的コンピュータ可読媒体を備えるコンピュータプログラム製品。
［Ｃ１６］
構成可能基地局であって、
第１の隣接基地局から信号を受信することと、
前記受信された信号からのリソース利用情報を決定することと、前記決定されたリソース利用情報が、前記第１の隣接基地局によってブロードキャスト制御チャネル情報の送信を制御するために使用される第１のフレームタイミングと、前記第１の隣接基地局によって使用されるアップリンクＰＲＡＣＨ通信リソースの第１のセットとのうちの少なくとも１つを含む、
前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択することと、前記第２のフレームタイミングが前記第１のフレームタイミングとは異なり、アップリンクＰＲＡＣＨ通信リソースの前記第２のセットがアップリンクＰＲＡＣＨ通信リソースの前記第１のセットとは異なる、
を行うように構成された少なくとも１つのプロセッサと、
前記少なくとも１つのプロセッサに結合されたメモリとを備える構成可能基地局。
［Ｃ１７］
前記信号が１次同期信号（ＰＳＳ）と２次同期信号（ＳＳＳ）とを含み、
前記少なくとも１つのプロセッサが、リソース利用情報を決定するように構成されることの一部として、前記第１のフレームタイミングを決定するように構成された、Ｃ１６に記載の構成可能基地局。
［Ｃ１８］
前記信号がシステム情報ブロック（ＳＩＢ）情報信号を含み、
前記少なくとも１つのプロセッサが、リソース利用情報を決定するように構成されることの一部として、アップリンクＰＲＡＣＨ通信リソースの前記第１のセット中のアップリンクＰＲＡＣＨ通信リソースのトーン、サブフレームおよび周期性のうちの少なくとも１つを決定するように構成された、Ｃ１６に記載の構成可能基地局。
［Ｃ１９］
前記少なくとも１つのプロセッサが、前記決定されたリソース利用情報に基づいて、前記構成可能基地局によって使用されるべき、第２のフレームタイミングまたはアップリンクＰＲＡＣＨ通信リソースの第２のセットのうちの少なくとも１つを選択するように構成されることの一部として、サブフレーム持続時間の非負整数倍であるフレームタイミングオフセットＮを決定するように構成された、Ｃ１７に記載の構成可能基地局。
［Ｃ２０］
前記少なくとも１つのプロセッサが、フレームタイミングオフセットを決定するように構成されることの一部として、前記構成可能基地局に隣接する隣接基地局の数は、前記数が前記第１の隣接基地局を含む、Ｘよりも小さく、ここで、Ｘが、ＰＳＳ信号を送信するために使用されるあるサブフレームから、ＰＳＳ信号を送信するために使用される次のサブフレームまでのサブフレームの数の差であるとき、前記隣接基地局のいずれかによって使用されるフレーム境界時間とは異なるフレーム境界時間を生成する第１のフレームタイミングオフセットを選択するように構成された、Ｃ１９に記載の構成可能基地局。
【図１】
0006522525.tif 000002
【図２】
0006522525.tif 000003
【図３】
0006522525.tif 000004
【図４】
0006522525.tif 000005
【図４Ａ】
0006522525.tif 000006
【図４Ｂ】
0006522525.tif 000007
【図４Ｃ】
0006522525.tif 000008
【図５】
0006522525.tif 000009
【図６】
0006522525.tif 000010
【図６Ａ】
0006522525.tif 000011
【図６Ｂ】
0006522525.tif 000012
【図６Ｃ】
0006522525.tif 000013
【図７】
0006522525.tif 000014
【図８】
0006522525.tif 000015
【図９】
0006522525.tif 000016
【図１０】
0006522525.tif 000017
【図１１】
0006522525.tif 000018